(57)【要約】      （修正有）【課題】ワンタッチで大きな開口部を容易に得られる食品用包装体を提供する。【解決手段】短手方向に２分割するためのカットテープを用いた帯状の切り取りによる分断手段を有すると共におにぎりを被包可能な大きさを有する略長方形の表側フィルム１に、短手方向に２分割した一対のフィルム片４Ａ、４Ｂにより表側フィルムを覆うと共に表側フィルムの分断手段に位置する箇所にフィルム片同士の重なり部を設けた裏側フィルムを重ね合わせ、裏側フィルムのフィルム片同士の重なり部を除いた表側フィルムと裏側フィルムの周縁同士を接合することにより内部にシート状食品Ｓを収容するためのポケット部を構成する。カットテープを２本平行に設けると共に表側フィルム裏面にしてこのカットテープとの間に開封進行方向に向けて幅が増大する形状からなるシート１０片を介在させて積層する。【選択図】図２
0003157175.tif 000002
【実用新案登録請求の範囲】
【請求項１】
短手方向に２分割するためのカットテープを用いた帯状の切り取りによる分断手段を有すると共におにぎりを被包可能な大きさを有する略長方形の表側フィルムに、短手方向に２分割した一対のフィルム片により表側フィルムを覆うと共に表側フィルムの分断手段に位置する箇所にフィルム片同士の重なり部を設けた裏側フィルムを重ね合わせ、裏側フィルムのフィルム片同士の重なり部を除いた表側フィルムと裏側フィルムの周縁同士を接合することにより内部にシート状食品を収容するためのポケット部を構成した包装体において、カットテープを２本平行に設けると共に表側フィルム裏面にしてこのカットテープとの間に開封進行方向に向けて幅が増大する形状からなるシート片を介在させて積層することにより、このシート片を積層した部分の包装体のフィルムの強度を高めたことを特徴とする食品用包装体。
【請求項２】
シート片は包装体の表側フィルムの表面に貼着する商品ラベルの中心箇所または商品ラベルの一番幅が広い箇所より下方に配した請求項１記載の食品用包装体。
【請求項３】
シート片は包装体の表側フィルムの表面に貼着する商品ラベル下端より下方に配した請求項１記載の食品用包装体。
【請求項４】
シート片の開封開始方向に位置する辺がカットテープの開封進行方向に向かって傾斜するテーパー状に構成される請求項１から３のいずれかに記載の食品用包装体。
【請求項５】
シート片の開封開始方向に位置する辺がカットテープの開封進行方向に向かって求心する弧状に構成される請求項１から３のいずれかに記載の食品用包装体。
【考案の詳細な説明】
【技術分野】
【０００１】
この考案は、例えばおにぎりなどの成型米飯食品の包装体に関し、より詳細には成型米飯食品に対し海苔などのシート状食品を隔離状態で被包しながら包装し、包装の開封及び取り去りと同時にシート状食品が成型米飯食品の表面に巻き付けられる作用を生じる包装体において、ワンタッチで大きな開口部を容易に得られることを可能とする易開封手段に関する。
【背景技術】
【０００２】
三角形のおにぎりを被包可能な大きさを有すると共に、短手方向に２分割するための帯状の切り取りによるカットテープなどの分断手段を有する長方形の表側フィルムに、短手方向に２分割した一対のフィルム片により表側フィルムを覆うと共に表側フィルムの分断手段に位置する箇所にフィルム片同士の重なり部を設けた裏側フィルムを重ね合わせ、裏側フィルムのフィルム片同士の重なり部を除いた表側フィルムと裏側フィルムの周縁同士を接合することにより内部に海苔等のシート状食品を収容するためのポケット部を構成した食品用包装体が公知である（特許文献１〜３）。
【０００３】
この包装体は裏側フィルム側をおにぎり側に接触させておにぎりを包装するものであるが、具体的にはおにぎりの底面を包装体の前後の中央付近に位置させると共に包装体の後半分でおにぎりの背面を覆った後、前半分で正面を覆う。そして、開封にあたっては表側フィルムに施された分断手段をおにぎりの正面側から引っ張り上げることにより表側フィルムを左右に順次分断する。この場合、裏側フィルムは既に一対のフィルム片により左右に分割されているのであるから、包装体は結局左右に分割されることとなり、左右に引くことによりポケット部に収容されたシート状食品を残して包装体は取り去られ、シート状食品のみがおにぎりの表面に包装されて残ることとなる。
【特許文献１】実公平５−３６３９０号公報
【特許文献２】実用新案登録第３００１２１２号公報
【特許文献３】特許第３０６１５１７号公報
【特許文献４】特開２００２−２２５９１７号公報
【考案の開示】
【考案が解決しようとする課題】
【０００４】
この場合、最終的には前記したように左右に分割された包装体を左右に引くことによりポケット部に収容されたシート状食品を残して包装体を取り去るわけだが、包装体は中に収容されたシート状食品と共におにぎりの形状に沿って折られた状態でしっかり密着しているので、購買者にとっては左右に引くことによりシート状食品を破壊するような錯覚を覚えそれを躊躇することがある。
【０００５】
また、同様の理由により注意深く包装体を左右に引かないと、実際にシート状食品を破壊してしまうおそれもある。
【課題を解決するための手段】
【０００６】
この考案は以上の従来技術の問題点を解消した食品用包装体を提供することを目的としたものであり、短手方向に２分割するためのカットテープを用いた帯状の切り取りによる分断手段を有すると共におにぎりを被包可能な大きさを有する略長方形の表側フィルムに、短手方向に２分割した一対のフィルム片により表側フィルムを覆うと共に表側フィルムの分断手段に位置する箇所にフィルム片同士の重なり部を設けた裏側フィルムを重ね合わせ、裏側フィルムのフィルム片同士の重なり部を除いた表側フィルムと裏側フィルムの周縁同士を接合することにより内部に海苔を収容するためのポケット部を構成した包装体において、カットテープを２本平行に設けると共に表側フィルム裏面にしてこのカットテープとの間に開封進行方向に向けて幅が増大する形状からなるシート片を介在させて積層することにより、このシート片を積層した部分の包装体のフィルムの強度を高めたことを特徴とする。
【０００７】
また、ここでは第２考案として前記の食品用包装体において、シート片を包装体の表側フィルムの表面に貼着する商品ラベルの中心箇所または商品ラベルの一番幅が広い箇所より下方に配した食品用包装体も開示する。
【考案の効果】
【０００８】
この考案の食品用包装体によれば、カットテープにより引き裂かれる行程において、引き裂きがカットテープとの間に介在されて積層されたシート片に差しかかると、その部分のシートの強度は高くなっているので、引き裂きは積層されたシート片の外縁に沿って誘導され、この場合、このシート片は開封進行方向に向けて幅が増大する形状からなるので、引き裂き方向が急に変更されることなく緩やかに変更され誘導はスムーズに行われ、もってシート片の全幅に応じた幅広の引き裂きが実現される作用を生じることとなる。
【０００９】
この場合、食品用包装体において前記のようなシート片を設けること自体は特許文献４において公知である。しかしながら、そこに開示されているカットテープは１本のものである。一方、前記の引き裂き作用を得るにはカットテープが開封進行方向に向けて幅が増大する形状からなるシート片の頂点にうまく位置しなくてはならず、シート片をフィルムに積層した後にカットテープを積層するに際し、フィルムの蛇行などにより頂点を外れて積層された場合は引き裂き作用がうまく機能しない問題があった。
【００１０】
これに対しこの考案の場合は、カットテープを２本平行に設けることによりシート片の頂点を大きくカバーすることができ、フィルムが蛇行しても頂点を外れることが防止される作用を生じる。
【００１１】
ところで、この考案の食品用包装体が想定しているおにぎりなどの成型米飯食品の包装体に関しては、商品性を高めるために包装体の表側フィルムの表面に商品情報や意匠を施した商品ラベルを貼着することが必須となる。この場合、この考案のシート片により表側フィルムが幅広く切り裂かれた状態で商品ラベルに差しかかると、ラベルを広い範囲で破壊しなくてはならず応力を多く必要とし、また、応力が不規則に分散して意図した方向での開封が困難となる問題を生じる。
【００１２】
そこで、第２考案においてはシート片を商品ラベルの中心箇所または商品ラベルの一番幅が広い箇所より下方に配している。こうすることにより、商品ラベルはカットテープ間の幅で破壊されるので前記の不都合を解消することができる。
【００１３】
以上のようにこの考案の食品用包装体によればワンタッチで大きな開口部を容易に得られるので、これをおにぎりなどの成型米飯食品の包装体として使用した場合は購買者は心理的な抵抗無しにそれを容易に開封することができる。
【図面の簡単な説明】
【００１４】
【図１】この考案の食品用包装体の平面図。
【図２】同上、分解状態の斜視図。
【図３】同上、開封行程を示す斜視図。
【図４】同上、開封行程を示す斜視図。
【図５】同上、シート片の異なる実施例を示す平面図。
【図６】同上、シート片の異なる実施例を示す平面図。
【図７】同上、シート片の異なる実施例を示す平面図。
【図８】同上、シート片の異なる実施例を示す平面図。
【図９】同上、シート片の異なる実施例を示す平面図。
【図１０】同上、包装の過程を示す斜視図。
【図１１】同上、包装の過程を示す斜視図。
【図１２】同上、包装の過程を示す斜視図。
【図１３】第２考案の食品用包装体の実施例の平面図。
【図１４】同上、分解状態の斜視図。
【図１５】同上、シート片と商品ラベルの異なる実施例の平面図。
【図１６】同上、シート片と商品ラベルの異なる実施例の平面図。
【考案を実施するための形態】
【００１５】
以下、この考案の具体的実施例を添付図面に基づいて説明する。図１〜１２はこの考案を三角おにぎり包装用の包装体に実施した例を示す図であり、図１は食品用包装体、図２はその分解状態を示す。この考案の包装体Ｐは表側フィルム１と裏側フィルム４Ａ、４Ｂを、内部にシート状食品を収容するためのポケット部を構成するように重合した構成からなる。表側フィルム１はおにぎりＲを被包可能な大きさの長方形からなり、短手方向に２分割するための帯状の切り取りによる分断手段を有し、分断手段として表側フィルム１の裏側に固着される一対のカットテープ２、２を採用している。又、ここではカットテープ２、２の引き上げ開始時における表側フィルム１の引き裂きを容易にするために、表側フィルムの一端の分断手段の開始箇所の左右に一対の切り込み３、３を設けている。
【００１６】
裏側フィルム４Ａ、４Ｂは包装時におにぎりＲの表面に接する側のフィルムであり、表側フィルム１を覆う形状に短手方向に２分割した一対のフィルム片４Ａ及び４Ｂにより構成され、これらのフィルム片は表側フィルムの分断手段に位置する箇所において一部分が重なる重なり部を構成する。
【００１７】
表側フィルム１と裏側フィルム４Ａ、４Ｂは、裏側フィルムのフィルム片同士の重なり部５を除いた周縁四方にヒートシールなどの手段による接合部を設けて重合されることにより内部にシート状食品Ｓを収容するためのポケット部を構成する。尚、この実施例においてはシート状食品Ｓとして海苔を想定しているが、シート状食品は海苔に限定されないことは勿論である。
【００１８】
図１０〜１２はこの考案の包装体によるおにぎりの包装の過程を示す図である。先ず、ポケット部にシート状食品Ｓを収容した包装体の前後の中央付近に三角形のおにぎりＲの底部を位置させると共に包装体の後半分でおにぎりの背面を覆う（図１０参照）。次いで、包装体の前半分でおにぎりＲの正面を覆うが、この場合、おにぎりは三角形であるのに対し包装体は長方形であるので包装体の左右に包装体の前方の角部を頂点とした一部切り欠き三角部分Ａ、Ａが残る。そこで、この三角部分Ａ、ＡをおにぎりＲの背面を覆っている包装体の後半分の上に折り返して重ね、更に包装状態を固定する（図１１及び１２参照）。
【００１９】
以上の包装体の開封にあたっては表側フィルム１に施された分断手段（カットテープ２、２）をおにぎりＲの正面側から引っ張り上げることにより表側フィルムを左右に順次分断され、この場合、裏側フィルム４Ａ、４Ｂは既に一対のフィルム片により左右に分割されているのであるから、包装体は結局左右に分割されることとなる。そこで、先ず分割された一方の包装体を押さえて他方の包装体を引くことにより、シート状食品ＳがおにぎりＲの表面に接触した状態で表れ、今度は表れたシート状食品を押さえて他方の包装体を引くことによりシート状食品の残りの部分がおにぎりの表面に接触した状態で表れ開封が完了する。
【００２０】
図中符号１０は以上の分断を容易にするためにシート片であり、これがこの考案の要旨となる。このシート片３は表側フィルム１の裏面の２本のカットテープ２、２の下にして、大きな開口としての開封を予定する箇所にカットテープとの間に介在されて積層されるものであり、ここではヒートーシールにより固着される。そして、このシート片３は開封進行方向に向けて幅が増大する形状からなることが必要である。そのための形状としては、例えばシート片の開封開始方向に位置する辺１１がカットテープの開封進行方向に向かって傾斜するテーパー状に構成されるものや、カットテープの開封進行方向に向かって求心する弧状に構成されるものが想定され、ここでは前者の一例として三角形の頂点をカットテープ２、２間にして開封開始方向に向けたものを例示している。尚、シート片３の形状の具体例として、前者に属するものを図５〜７に、後者に属するものを図８〜９に図示するが、形状はこれらに限定されないことはもりろんである。
【００２１】
以上の構成よりなる包装体における開封の手順を図３〜４により図示すれば次の通りである。
(1) 先ず、表側フィルム１のカットテープ２、２の端部をフィルムごと摘み上げて上方に引っ張り上げることにより、２本のカットテープの幅に沿ってフィルムが引き裂かれ、これらの幅に応じた開口部Ｃ１が出現する（図３）。
(2) さらに引っ張り上げることにより引き裂きはシート片１０の開封開始方向に位置する辺１１に差しかかり、辺１１の外縁に沿って誘導され、それに応じた大きな開口部Ｃ２が出現する（図４）。
【００２２】
図１３〜図１６は第２考案の食品用包装体の実施例を示す図である。この考案においては、表側フィルム１の表面に商品ラベル２０が貼着され、シート片１０は包装体の表側フィルムの表面に貼着する商品ラベルの中心箇所または図１５に示すように商品ラベルの一番幅が広い箇所より下方に配される。また、図１６に示すようにシート片１０は商品ラベル２０の下端より下方に配してもよい。
【符号の説明】
【００２３】
１      表側フィルム
２      カットテープ
１０    シート体
【図１】
0003157175.tif 000003
【図２】
0003157175.tif 000004
【図３】
0003157175.tif 000005
【図４】
0003157175.tif 000006
【図５】
0003157175.tif 000007
【図６】
0003157175.tif 000008
【図７】
0003157175.tif 000009
【図８】
0003157175.tif 000010
【図９】
0003157175.tif 000011
【図１０】
0003157175.tif 000012
【図１１】
0003157175.tif 000013
【図１２】
0003157175.tif 000014
【図１３】
0003157175.tif 000015
【図１４】
0003157175.tif 000016
【図１５】
0003157175.tif 000017
【図１６】
0003157175.tif 000018